(57)【要約】      （修正有）【課題】家具調こたつや寝具等をペットと一緒に利用する事で電気代を節約しながら、ペットが暖を取る事はもちろんの事、家具調こたつや寝具への冷気の侵入を防ぎ、更には臭いや抜け毛、汚れやその他の衛生面でも改善できるペット用のベッドを提供する。【解決手段】家具調こたつや寝具等の熱を利用して、ペットが暖を取れるようにするペット用ベッドにおいて、ペット用ベッド本体に少なくとも一つ以上の開口部１を設けて、家具調こたつや寝具の内部において、人間の使用する空間とペットの使用する空間を区切り、ペット用ベッドの開口部１の一つまたは複数からペットが出入りできる構造のペット用ベッド。【選択図】図４
2011239771.tif 000002
【特許請求の範囲】
【請求項１】
家具調こたつや寝具等の熱を利用して、ペットが暖を取れるようにするペット用ベッドにおいて、ペット用ベッド本体に少なくとも一つ以上の開口部を設けて、家具調こたつや寝具の内部において、人の使用する空間とペットの使用する空間を区切り、ペット用ベッドの開口部の一つまたは複数からペットが出入りできる構造を特徴とするペット用ベッド
【請求項２】
家具調コタツや寝具等の布団やカバーを、ペット用ベッド本体に取り付けて、隙間を塞ぐ構造を特徴とする請求項１に記載のペット用ベッド。
【請求項３】
ペット用ベッド本体の上部にもペットが乗る事のできるように強度を持たせた構造を特徴とする、請求項１または２に記載のペット用ベッド。
【発明の詳細な説明】
【技術分野】
【０００１】本発明は、家具調コタツや寝具などを利用して、ペットが暖を取れるようにする事ができる、ペット用ベッドに関するものである。
【背景技術】
【０００２】近年のペットブームを反映して、ペットを飼う人が増えて来ている。とりわけ小型犬に人気があり、室内で飼われる事が多く、冬場においてはペットの寒さ対策として、ペット用ベッドが提案されている。（特許文献１参照）。【０００３】しかしながら、寒さが厳しくなるとペット用ベッドだけでは暖が取れず、ペット用ヒーター等も併用する事になる。【０００４】また、ペットの寒さ対策に、家具調こたつをペットと一緒に利用する家庭も多く、就寝時にはペットと一緒に同じ寝具で寝る人も増えている。
【先行技術文献】
【０００５】
【特許文献１】  特許公開２００９−１６５４５４号
【発明の開示】
【発明が解決しようとする課題】
【０００６】しかしながら、特許文献１記載の技術は、ヒーターの機能が無い為、寒さが厳しくなるとペット用ヒーター等を使う事になり、電気代がかかるという問題点がある。【０００７】また、ペットと一緒に家具調こたつを利用する場合や、ペットと一緒に布団で就寝すれば、臭いや抜け毛、汚れやその他の衛生面でも問題がある。【０００８】また、ペットと一緒に家具調こたつを利用する場合や、ペットと一緒に布団で就寝すれば、ペットが出入りする度に冷気が流れ込むという問題もある。【０００９】そこで本発明は、上記課題に鑑みてなされたものであり、家具調こたつや寝具等をペットと一緒に利用する事で電気代を節約しながら、ペットが暖を取る事はもちろんの事、家具調こたつや寝具への冷気の侵入を防ぎ、更には臭いや抜け毛、汚れやその他の衛生面でも改善できるペット用ベッドを提供する事を課題とする。
【課題を解決するための手段】
【００１０】前記課題は以下の手段によって解決される。
請求項１に係る発明は、家具調こたつや寝具等の熱を利用して、ペットが暖を取れるようにするペット用ベッドにおいて、ペット用ベッド本体に少なくとも一つ以上の開口部を設けて、家具調こたつや寝具の内部において、人の使用する空間とペットの使用する空間を区切り、ペット用ベッドの開口部の一つまたは複数からペットが出入りできる構造を特徴とするペット用ベッド
請求項２に係る発明は、家具調コタツや寝具等の布団やカバーを、ペット用ベッド本体に取り付けて、隙間を塞ぐ構造を特徴とする請求項１に記載のペット用ベッド。
請求項３に係る発明は、ペット用ベッド本体の上部にもペットが乗る事のできるように強度を持たせた構造を特徴とする、請求項１または２に記載のペット用ベッド。
【発明の効果】
【００１１】請求項１に記載されている発明は、ペットが家具調こたつや寝具から出入りする時に冷気が入り込む問題がある。しかし本発明は家具調こたつの内部や寝具の内部とは、ペット専用の部屋として区切られた状態であり、ペットが中に出入りするための開口部が設けられている為、ペットが出入りしても冷気の影響を受ける心配が無い。また本発明は家具調こたつや寝具の熱を利用する為、ペット用ヒーター等を別途使う必要も無く電気代の節約にもなる。
また、家具調こたつの内部や寝具の内部とペット用ベッドとは区切られた状態である為、ペットの臭いや抜け毛、汚れなどの問題が改善され、しかもペット用ベッドは洗う事も容易で、衛生的である。【００１２】請求項２に記載されている発明は、家具調こたつや寝具等の布団やカバーは本発明のペット用ベッドに隙間を塞ぐように取り付けられる為、隙間から冷気の進入を防ぐ事が出来る。また、ペット用ベッドが、ズレたりする事を防ぐ効果もある。【００１３】請求項３に記載されている発明は、家具調こたつや寝具の温度調節に関して、ペットは自ら行うことが不可能である為、暖かい時など、ペットは中から出てペット用ベッド本体の上部に乗る事ができるように強度を持たせた構造である為、ペット自らが快適な暖かさを選択する事が可能となる。
【発明を実施するための最良の形態】
【００１４】（第一実施形態）
本発明の第一実施形態を、図面を参照しながら説明する。
図１は、本発明の第一実施形態に係るペット用ベッドの上方斜視図を示す。【００１５】図１において、ペット用ベッドは、本体１０とペットが出入りする開口部１と、家具調こたつや寝具のふとんやカバーを取り付ける止め具２とで構成されている。本実施形態では、家具調こたつや寝具のふとんやカバーを止め具２で取り付ける構造としているが、例えば独立分離したフックや紐等で固定するなども可能であり、限定する物では無い。【００１６】図２において、ペット用ベッドの本体が型崩れせず、ペットが乗る事も可能にする為の強度を持たせる為に、芯材１１をペット用ベッドの本体に備える。本実施形態では線材を使用しているが樹脂その他を使っても可能であり、限定する物では無い。【００１７】（第二実施形態）
次に、本発明の第二実施形態を、図面を参照しながら説明する。
図３は、本発明の第二実施形態に係る上方斜視図を示す。【００１８】図に示すように、本実施形態に係るペット用ペッド１２は、対向する一対の開口部１と、それぞれに芯材１１から構成される。【００１９】（変形例）
次に、第二実施形態に係るペット用ベッドの変形例を示す。
本変形例では、ペット用ベッド１３は、本体に角度を持たせる事で、対向する開口部１の位置や方向を変える事が出来る為、出入り口を変える事が可能となり、部屋のレイアウトに併せて変化させる事が可能になる。【００２０】（使用方法）
次に、ペット用ベッド１０の使用方法を説明する。
図５は、第一実施形態の係るペット用ベッドの使用状態を示す。
図は、ペット用ベッド１０を寝具Ｓで使用した場合の一例で、寝具ＳのふとんＨをペット用ベッド１０に掛けて、ふとんＨをペット用ベッド１０の止め具２で固定してつないで使用している。【００２１】以上の構成とする事で、寝具をペットと一緒に使いながら、ペット専用の出入り口が確保され、隙間から寝具への冷気の進入を防ぎ、ペット用ベッドの部屋が寝具の内部と区切られている事で、臭いや抜け毛、汚れ等の衛生面も改善される。ペット用ベッドは洗う事も容易である。【００２２】次に、ペット用ベッド１３の使用方法を説明する。
図６は、第二実施形態の変形例の係るペット用ベッドの使用状態を示す。
図は、ペット用ベッド１３を家具調こたつＫで使用した場合の一例で、家具調こたつＫのふとんＬをペット用ベッド１３に掛けて、ふとんＬをペット用ベッド１３の止め具２で固定してつないでいる。【００２３】以上の構成とする事で、家具調こたつをペットと一緒に使いながら、ペット専用の出入り口が確保され、隙間から家具調こたつへの冷気の進入を防ぎ、ペット用ベッドの部屋が家具調こたつ内部と区切られる事で、臭いや抜け毛、汚れ等の衛生面も改善される。
ペット用ベッドは洗う事も容易である。
【図面の簡単な説明】
【００２４】
【図１】本発明の第一実施形態を示す斜視図である。
【図２】本発明の部材である芯材を示す斜視図である。
【図３】本発明の第二実施形態を示す斜視図である。
【図４】本発明の第二実施形態の変形例を示す斜視図である。
【図５】本発明の第一実施形態の使用図である。
【図６】本発明の第二実施形態の変形例の使用図である。
【符号の説明】
【００２５】１・・・・開口部
２・・・・止め具
１０・・・第一実施形態本体
１１・・・芯材
１２・・・第二実施形態本体
１３・・・第二実施形態変形例本体
Ｓ・・・・寝具
Ｈ・・・・寝具のふとん
Ｋ・・・・家具調こたつ
Ｌ・・・・家具調こたつのふとん
【図１】
2011239771.tif 000003
【図２】
2011239771.tif 000004
【図３】
2011239771.tif 000005
【図４】
2011239771.tif 000006
【図５】
2011239771.tif 000007
【図６】
2011239771.tif 000008